(57)【要約】【課題】  地震時に扉を開閉不能にロックして扉の揺動を防止することができる扉の地震時ロック装置を提供する。【解決手段】  扉の地震時ロック装置１は、扉枠Ａに開閉可能に設けられた扉Ｂの扉の地震時ロック装置であって、ケース２を有する。ケース２内には、ドラム６０と、ドラム６０をロックするロック部材５が設けられている。前記ドラム６０は、扉Ｂの開閉に連動して回動するように形成されている。前記ロック部材５は、非地震時には前記ドラム６０をロックしない非ロック位置Ｐ１に移動しており、地震時には前記ドラム６０をロックするロック位置Ｐ２に移動できるように設けられている。【選択図】        図３３
2005344440.tif 000002
【特許請求の範囲】
【請求項１】
扉枠に開閉可能に設けられた扉の地震時ロック装置であって、
ケースを有し、
ケース内には、ドラムと、ドラムをロックするロック部材が設けられ、
前記ドラムは、扉の開閉に連動して回動するように形成され、
前記ロック部材は、非地震時には前記ドラムをロックしない非ロック位置に移動しており、地震時には前記ドラムをロックするロック位置に移動できるように設けられていることを特徴とする扉の地震時ロック装置。
【請求項２】
前記ロック部材は、非地震時に自重により非ロック位置に移動していることを特徴とする請求項１記載の扉の地震時ロック装置。
【請求項３】
前記ロック部材は、ケースに形成された複数の収容室に移動可能に収容されていることを特徴とする請求項１又は２記載の扉の地震時ロック装置。
【請求項４】
前記ロック部材は、球体であることを特徴とする請求項１、２又は３記載の扉の地震時ロック装置。
【請求項５】
前記ケースは、扉枠に取り付けられ、
前記ドラムには、前記扉に回動自在に連結される連結アームが回動自在に設けられていることを特徴とする請求項１乃至４のいずれか１項に記載の扉の地震時ロック装置。
【請求項６】
ケースには、前記ドラムの回動を制動する制動手段が設けられていることを特徴とする請求項１乃至５のいずれか１項に記載の扉の地震時ロック装置。
【請求項７】
制動手段は、
ケース内に設けられた収納部と、
収納部内に充填された粘性流体と、
収納部内に突出して回動可能に設けられた回転軸と、
回転軸に形成された、粘性流体の抵抗を受ける抵抗部材と、
回転軸と共に回転する回転体とからなり、
前記ドラムと回転体との間には、扉の閉塞によるドラムの回動方向の回転を前記回転体に伝達するワンウェイクラッチが設けられていることを特徴とする請求項６記載の扉の地震時ロック装置。
【請求項８】
扉枠に開閉可能に設けられた扉の制動装置であって、
ケースを有し、
ケース内には、ドラムと、当該ドラムの回動を制動する制動手段が設けられ、
前記ドラムは、扉の開閉に連動して回動するように形成され、
制動手段は、
ケース内に設けられた収納部と、
収納部内に充填された粘性流体と、
収納部内に突出して回動可能に設けられた回転軸と、
回転軸に形成された、粘性流体の抵抗を受ける抵抗部材と、
回転軸と共に回転する回転体とからなり、
前記ドラムと回転体との間には、扉の閉塞によるドラムの回動方向の回転を前記回転体に伝達するワンウェイクラッチが設けられていることを特徴とする扉の制動装置。
【請求項９】
前記ケースは、扉枠に取り付けられ、
前記ドラムには、前記扉に回動自在に連結される連結アームが回動自在に設けられていることを特徴とする請求項８記載の扉の制動装置。
【請求項１０】
前記ドラムには、
被係合部が形成された従動部材と、
連結部材が設けられ、
連結部材は、先部が前記連結アームに回動可能に連結され、基部が前記ドラムに回動可能に取り付けられ、
当該連結部材には、前記従動部材の被係合部と係合可能であり、従動部材の被係合部と係合すると、連結部材の回動がドラムに伝達可能となる係合部が形成されていることを特徴とする請求項９記載の扉の制動装置。
【発明の詳細な説明】
【技術分野】
【０００１】
この発明は、開閉可能に取り付けられた扉を、地震時に開閉不能にロックする扉の地震時ロック装置及び扉の閉塞方向への回動を制動する扉の制動装置に関するものである。
【背景技術】
【０００２】
従来の扉の地震時ロック装置は、扉枠側に装置本体が設けられ、扉側に支持体が設けられている。従来の扉の地震時ロック装置は、装置本体から突出する係止体と、係止体をロックする転動体を有する。平常時において、前記係止体は、扉の開閉に伴って、支持体に摺接して上下動するようになっている。地震時において、前記係止体は、転動体によってロックされ、突出した状態が保持される（例えば特許文献１）。従来の扉の制動装置は、粘性流体を収納したシリンダとピストンからなる制動手段により扉の閉塞方向への回動を制動し、扉が緩やかに閉じるように構成されている（例えば特許文献２）。
【特許文献１】特許第３０４８３５７号公報
【特許文献２】特開平５−３１１９４０号公報
【発明の開示】
【発明が解決しようとする課題】
【０００３】
上記従来の扉の地震時ロック装置は、扉が閉塞している状態の時に、係止体が支持体を係止するが、扉が開放している状態の時には、係止体が支持体から離れた位置にある。従って、扉の開放時に地震が発生すると、係止体は、転動体によってロックされ、突出した状態が保持されるが、支持体を係止していないので、扉は固定されず、地震の揺れによって揺動するという問題点があった。従来の扉の制動装置は、制動手段がシリンダとピストンからなるため、小型化することができず、また安価に製造することができないという問題点があった。
【０００４】
本願発明は、上記問題点に鑑み案出したものであって、地震時に扉を開閉不能にロックして扉の揺動を防止することができる扉の地震時ロック装置を提供することを第１の目的とする。また、扉の閉塞方向への回動を制動し、扉枠への当接による衝撃音と衝撃力を緩和・吸収し、同じく扉枠への当接による衝撃により扉がロックされるのを回避することができる扉の地震時ロック装置を提供することを第２の目的とする。小型化することができ、安価に製造することができる扉の制動装置を提供することを第３の目的とする。
【課題を解決するための手段】
【０００５】
本願請求項１に係る扉の地震時ロック装置は、上記第１の目的を達成するため、扉枠に開閉可能に設けられた扉の地震時ロック装置であって、ケースを有し、ケース内には、ドラムと、ドラムをロックするロック部材が設けられ、前記ドラムは、扉の開閉に連動して回動するように形成され、前記ロック部材は、非地震時には前記ドラムをロックしない非ロック位置に移動しており、地震時には前記ドラムをロックするロック位置に移動できるように設けられている。
【０００６】
本願請求項２に係る扉の地震時ロック装置は、上記第１の目的を達成するため、前記ロック部材は、非地震時に自重により非ロック位置に移動している。
【０００７】
本願請求項３に係る扉の地震時ロック装置は、上記第１の目的を達成するため、前記ロック部材は、ケースに形成された複数の収容室に移動可能に収容されている。
【０００８】
本願請求項４に係る扉の地震時ロック装置は、上記第１の目的を達成するため、前記ロ
ック部材は、球体である。
【０００９】
本願請求項５に係る扉の地震時ロック装置は、上記第１の目的を達成するため、前記ケースは、扉枠に取り付けられ、前記ドラムには、前記扉に回動自在に連結される連結アームが回動自在に設けられている。
【００１０】
本願請求項６に係る扉の地震時ロック装置は、上記第２の目的を達成するため、ケースには、前記ドラムの回動を制動する制動手段が設けられている。
【００１１】
本願請求項７に係る扉の地震時ロック装置は、上記第２の目的を達成するため、制動手段は、ケース内に設けられた収納部と、収納部内に充填された粘性流体と、収納部内に突出して回動可能に設けられた回転軸と、回転軸に形成された、粘性流体の抵抗を受ける抵抗部材と、回転軸と共に回転する回転体とからなり、前記ドラムと回転体との間には、扉の閉塞によるドラムの回動方向の回転を前記回転体に伝達するワンウェイクラッチが設けられている。
【００１２】
本願請求項８に係る扉の制動装置は、上記第３の目的を達成するため、扉枠に開閉可能に設けられた扉の制動装置であって、ケースを有し、ケース内には、ドラムと、当該ドラムの回動を制動する制動手段が設けられ、前記ドラムは、扉の開閉に連動して回動するように形成され、制動手段は、ケース内に設けられた収納部と、収納部内に充填された粘性流体と、収納部内に突出して回動可能に設けられた回転軸と、回転軸に形成された、粘性流体の抵抗を受ける抵抗部材と、回転軸と共に回転する回転体とからなり、前記ドラムと回転体との間には、扉の閉塞によるドラムの回動方向の回転を前記回転体に伝達するワンウェイクラッチが設けられている。
【００１３】
本願請求項９に係る扉の制動装置は、上記第３の目的を達成するため、前記ケースは、扉枠に取り付けられ、前記ドラムには、前記扉に回動自在に連結される連結アームが回動自在に設けられている。
【００１４】
本願請求項１０に係る扉の制動装置は、上記第３の目的を達成するため、前記ドラムには、被係合部が形成された従動部材と、連結部材が設けられ、連結部材は、先部が前記連結アームに回動可能に連結され、基部が前記ドラムに回動可能に取り付けられ、当該連結部材には、前記従動部材の被係合部と係合可能であり、従動部材の被係合部と係合すると、連結部材の回動がドラムに伝達可能となる係合部が形成されている。
【発明の効果】
【００１５】
本願発明に係る扉の地震時ロック装置は、平常時には、ロック部材がドラムをロックしない非ロック位置に移動しているので、扉の開閉に連動してドラムが回動でき、扉の開閉が何ら支障なく滑らかに行われるが、地震時には、ロック部材がドラムをロックするロック位置に移動するので、扉を開閉不能にロックして扉の揺動を阻止することができるという効果がある。従って、本願発明に係る扉の地震時ロック装置によれば、地震時に扉と連動しているドラムがロックされ、突然扉が開閉して手や足を挟んで怪我をしたり、頭を打ったりするおそれを少なくし、扉の揺動による衝撃により、ヒンジ等の部品を壊す可能性を少なくしているという効果がある。
【００１６】
本願発明に係る扉の地震時ロック装置は、上記効果に加え、地震時にロック部材がドラムをロックするロック位置に移動するが、地震が終了すれば、ロック部材が自重により非ロック位置に移動するので、ドラムのロックが解除され、特別な解除操作を行わなくても平常時と同じ状態に復帰させることができるという効果がある。
【００１７】
本願発明に係る扉の地震時ロック装置は、上記効果に加え、ロック部材がケースに形成された複数の収容室に移動可能に収容されているので、地震の様々な揺れに対していずれかのロック部材が反応して確実にドラムをロックすることができるという効果がある。
【００１８】
本願発明に係る扉の地震時ロック装置は、上記効果に加え、ロック部材が球体であると、コストが安く、組み立て作業が容易であり、地震の揺れに対して速やかに反応させることができるという効果がある。
【００１９】
本願発明に係る扉の地震時ロック装置は、上記効果に加え、ケースには、前記ドラムの回動を制動する制動手段が設けられているので、扉の扉枠への衝突による跳ね返りを防止することができ、扉枠へ扉の当接による衝撃音と衝撃力を緩和し、扉をゆっくり且つ静かに閉めることができ、また、扉枠へ扉の当接による衝撃によりドラムがロックされるのを防止することができるという効果がある。
【００２０】
本願発明に係る扉の地震時ロック装置は、上記効果に加え、収納部内に充填された粘性流体と、回転軸に形成された、粘性流体の抵抗を受ける抵抗部材とでドラムを制動するので、その減衰作用により、滑らかに扉を閉じさせることができ、ワンウエイクラッチにより扉の開く方向へのドラムの回動方向には、制動手段が働かないから、扉を素早く開けることができるという効果がある。
【００２１】
本願発明に係る扉の制動装置は、扉の開閉に連動してドラムが回動でき、そのドラムの回動を制動手段が制動するので、扉の扉枠への衝突による跳ね返りを防止することができ、扉枠へ扉の当接による衝撃音と衝撃力を緩和し、扉をゆっくり且つ静かに閉めることができるという効果がある。また、制動手段が、ケース内に設けられた収納部と、収納部内に充填された粘性流体と、収納部内に突出して回動可能に設けられた回転軸と、回転軸に形成された、粘性流体の抵抗を受ける抵抗部材と、回転軸と共に回転する回転体とからなるので、小型化することでき、安価に製造することができるという効果がある。さらに又、前記ドラムと回転体との間に、扉の閉塞によるドラムの回動方向の回転を前記回転体に伝達するワンウェイクラッチが設けられているので、扉の閉じる方向へのドラムの回動方向には、制動手段が働き、扉をゆっくり且つ静かに閉めることができるが、扉の開く方向へのドラムの回動方向には、制動手段が働かないから、扉を素早く開けることができるという効果がある。
【００２２】
本願発明に係る扉の制動装置は、前記ドラムに回動可能に取り付けられた連結部材が、扉の開閉に伴って回動し、扉が所定位置まで閉じると連結部材の係合部が従動部材の被係合部と係合してドラムを回動させ、扉が所定位置まで開くと連結部材の係合部が従動部材の被係合部から外れてドラムを回動させないようにするので、扉の閉じ終わる間際に制動力を働かせることができるという効果がある。
【発明を実施するための最良の形態】
【００２３】
本願発明の実施の形態を図１乃至図３４に基づいて説明する。図１は、本願発明に係る扉の地震時ロック装置（扉の制動装置）の一つの実施の形態を示す全体斜視図である。図２は、扉の地震時ロック装置（扉の制動装置）の分解斜視図である。図３は、第１のケースを説明する斜視図である。図４は、第１のケースを説明する説明図であり、（ａ）が上面図、（ｂ）が左面図、（ｃ）が正面図、（ｄ）が右面図、（ｅ）が下面図である。図５は、従動部材の説明図である。図６は、第１のケースと第１の連結部材を説明する斜視図である。図７は、第１の連結部材の説明図である。図８は、第１のケースとドラムを説明する斜視図である。図９は、ドラムの説明図である。図１０は、第１のケースにドラムを装着した斜視図である。図１１は、図１０の第１のケースの説明図であり、（ａ）が上面図、（ｂ）が側面断面図である。
【００２４】
図１２は、第２のケースと第２の連結部材を説明する斜視図である。図１３は、第２のケースを説明する説明図であり、（ａ）が上面図、（ｂ）が左面図、（ｃ）が正面図、（ｄ）が右面図、（ｅ）が下面図である。図１４は、第２の連結部材の説明図である。図１５は、第２のケースとダンパー軸を説明する斜視図である。図１６は、ダンパー軸の説明図である。図１７は、第２のケースとダンパーケースを説明する斜視図である。図１８は、ダンパーケースの説明図である。図１９は、第２のケースと回転体を説明する斜視図である。図２０は、回転体の説明図である。図２１は、第２のケースに回転体を装着した斜視図である。図２２は、第１のケースと第２のケースの取付方を説明する斜視図である。図２３は、ケースと連結アームの分解斜視図である。図２４は、第１、２の連結部材に連結アームを連結した斜視図である。
【００２５】
図２５は、本願発明に係る扉の地震時ロック装置（扉の制動装置）の説明図であり、（ａ）が上面図、（ｂ）が正面図である。図２６は、本願発明に係る扉の地震時ロック装置（扉の制動装置）の図２５のＡ−Ａ断面図である。図２７は、図２５のＢ−Ｂ断面図である。図２８は、図２５のＣ−Ｃ断面図である。図２９は、本願発明に係る扉の地震時ロック装置（扉の制動装置）の使用説明図であり、（ａ）は扉が閉じている時の上面図、（ｂ）は（ａ）の上面断面図である。図３０は、本願発明に係る扉の地震時ロック装置（扉の制動装置）の使用説明図であり、（ａ）は扉が開き始めている時の上面図、（ｂ）は（ａ）の上面断面図である。図３１は、本願発明に係る扉の地震時ロック装置（扉の制動装置）の開き動作を説明する説明図であり、（ａ）は扉が閉じている時の断面図、（ｂ）は扉が開き始めている時の断面図、（ｃ）は扉が少し開いた時の断面図、（ｄ）は扉が開き終わった時の断面図である。図３２は、本願発明に係る扉の地震時ロック装置（扉の制動装置）の閉じ動作を説明する説明図であり、（ｅ）は扉が開いている時の断面図、（ｆ）は扉が閉じている時の断面図、（ｇ）は扉が閉じ終わる直前の時の断面図、（ｈ）は扉が閉じた時の断面図である。図３３は、本願発明に係る扉の地震時ロック装置（扉の制動装置）の地震時の動き説明する説明図であり、（ａ）が上面図、（ｂ）が（ａ）の上面断面図である。図３４は、要部拡大断面図である。
【００２６】
扉の地震時ロック装置（扉の制動装置）１は、扉枠Ａに開閉可能に設けられた扉Ｂの扉の地震時ロック装置であって、ケース２を有する。ケース２内には、ドラム６０と、ドラム６０をロックするロック部材５が設けられている。前記ドラム６０は、扉Ｂの開閉に連動して回動するように形成されている。前記ロック部材５は、非地震時には前記ドラム６０をロックしない非ロック位置Ｐ１に移動しており、地震時には前記ドラム６０をロックするロック位置Ｐ２に移動できるように設けられている。
【００２７】
前記ロック部材５は、非地震時に自重により非ロック位置Ｐ１に移動している。前記ロック部材５は、ケース２に形成された複数の収容室６〜８に移動可能に収容されている。前記ロック部材５は、球体である。前記ケース２は、扉枠Ａに取り付けられ、前記ドラム６０には、前記扉Ｂに回動自在に連結される連結アーム１４０が回動自在に設けられている。
【００２８】
ケース２には、前記ドラム６０の回動を制動する制動手段９が設けられている。制動手段９は、ケース２内に設けられた収納部１２９と、収納部１２９内に充填された粘性流体と、収納部１２９内に突出して回動可能に設けられた回転軸１１７と、回転軸１１７に形成された、粘性流体の抵抗を受ける抵抗部材１１８と、回転軸１１７と共に回転する回転体１３０とからなる。前記ドラム６０と回転体１３０との間には、扉Ｂの閉塞によるドラム６０の回動方向の回転を前記回転体１３０に伝達するワンウェイクラッチ１３８が設けられている。
【００２９】
扉の制動装置１は、扉枠Ａに開閉可能に設けられた扉Ｂの制動装置であって、ケース２を有する。ケース２内には、ドラム６０と、当該ドラム６０の回動を制動する制動手段９が設けられている。前記ドラム６０は、扉Ｂの開閉に連動して回動するように形成されている。制動手段９は、ケース２内に設けられた収納部１２９と、収納部１２９内に充填された粘性流体と、収納部１２９内に突出して回動可能に設けられた回転軸１１７と、回転軸１１７に形成された、粘性流体の抵抗を受ける抵抗部材１１８と、回転軸１１７と共に回転する回転体１３０とからなる。前記ドラム６０と回転体１３０との間には、扉Ｂの閉塞によるドラム６０の回動方向の回転を前記回転体１３０に伝達するワンウェイクラッチ１３８が設けられている。
【００３０】
前記ケース２は、扉枠Ａに取り付けられ、前記ドラム６０には、前記扉Ｂに回動自在に連結される連結アーム１４０が回動自在に設けられている。前記ドラム６０には、被係合部３６が形成された従動部材３０と、連結部材４０が設けられている。連結部材４０は、先部４３が前記連結アーム１４０に回動可能に連結され、基部４１が前記ドラム６０に回動可能に取り付けられている。当該連結部材４０には、前記従動部材３０の被係合部３６と係合可能であり、従動部材３０の被係合部３６と係合すると、連結部材４０の回動がドラム６０に伝達可能となる係合部４９が形成されている。
【００３１】
さらに、扉の地震時ロック装置（扉の制動装置）１について詳細に説明する。図１に示すように、扉の地震時ロック装置（扉の制動装置）１は、ケース２を有する。図２に示すように、ケース２は、第１のケース１０と第２のケース８０とからなり、第１のケース１０と第２のケース８０が接合され、ネジ等の固定手段によって連結固定されて形成されている。図３に示すように、第１のケース１０は、金属、硬質合成樹脂等によって円盤状に一体成形され、上面（第１の接合面）１１側に円形の第１の収納凹部１２が形成されている。
【００３２】
第１の収納凹部１２は、円形の第１の底面１３と、第１の底面１３の周縁に略直角に立設された第１の周側面１５とからなる。第１の底面１３は、略中心に円形の軸受け凹部１６が形成され、軸受け凹部１６の略中心を中心とする円弧状の案内溝１７が形成されている。図４（ａ）に示すように、案内溝１７の下端部（扉の開放方向（Ｘ方向）の端部）１７ａには、案内穴１９が形成されている。案内穴１９には、係合端１９ａが形成されている。
【００３３】
図３に示すように、第１のケース１０は、第１の収納凹部１２の周囲３カ所の上面（第１の接合面）１１側に第１の収容部２０が形成されている。第１の収容部２０は、第１の下面２１と、第１の前面（扉の開放方向（Ｘ方向）の面）２２と、第１の後面（扉の閉塞方向（Ｙ方向）の面）２３と、第１の外側面２４とで段凹部状に形成され、上面（第１の接合面）１１及び第１の周側面１５と連通している。図４（ａ）に示すように、第１の外側面２４は、一端２４ａ（第１の前面２２側）から他端２４ｂ（第１の後面２３側）方向（扉の閉塞方向（Ｙ方向））に向かって、第１の周側面１５から離れるように（深くなるように）傾斜している。図３に示すように、第１の下面２１は、一端２１ａ（第１の前面２２側）から他端２１ｂ（第１の後面２３側）方向（扉の閉塞方向（Ｙ方向））に向かって、上面（第１の接合面）１１から離れるように（深くなるように）傾斜している。又、第１の下面２１は、第１の周側面１５側から第１の外側面２４側（半径方向）に向かって、上面（第１の接合面）１１から離れるように（深くなるように）傾斜している。
【００３４】
図４（ｅ）に示すように、第１のケース１０は、下面（表面）２６側に半環状の切り欠き部２７が形成されている。当該切り欠き部２７は、前記案内溝１７と対向する位置に形成されている。第１の周側面１５には、前記切り欠き部２７と第１の収納凹部１２とを連通する半円状の案内溝２９が形成されている。
【００３５】
前記案内溝１７には、従動部材３０が摺動可能に設けられている。図５に示すように、従動部材３０は、扁平状に形成され、一方の面３１の略中心に軸受け穴３２が形成され、他方の面３３の略中心に案内突起３５が形成されている。案内突起３５は、前記案内溝１７に回動不能に取り付けられるように、細長く且つ湾曲して形成されている。また、従動部材３０には、略Ｕ字状の係合凹部（被係合部）３６を形成する一対の係合爪３７ａ，３７ｂが形成されている。当該係合凹部（被係合部）３６の開放方向は、前記案内突起３５の長手方向と略直交する。図６に示すように、従動部材３０は、案内突起３５を前記案内溝１７に差し込むと、係合凹部（被係合部）３６が外径方向に向いた状態で、案内溝１７に回動不能且つ摺動自在に案内される。
【００３６】
図６に示すように、第１のケース１０に第１の連結部材４０が回動可能に取り付けられている。図７に示すように、第１の連結部材４０は、一体形成されており、ガイドリング４１と、ガイドリング４１の一側に一端が連設されたアーム４２と、アーム４２の他端に連接され、ガイドリング４１と略平行の連結リング４３とからなる。ガイドリング４１は、第１の収納凹部１２に収納されて、第１の底面１３に摺接し、外周縁４５が第１の周側面１５に案内され、回動可能となっている。ガイドリング４１の内周縁は、小径内周縁４６と、大径内周縁４７とからなる。大径内周縁４７は、アーム４２とは反対側に設けられ、一側に半円状の係合凸部（係合部）４９が内側に向かって突設されている。
【００３７】
アーム４２は、ガイドリング４１と略同一平面状にある後方アーム５０と、後方アーム５０に対し略直角に折曲された中間アーム５１と、中間アーム５１に対し略直角に折曲され、前記後方アーム５０と略平行の前方アーム５２とからなる。連結リング４３には、連結孔５３が形成されている。図６に示すように、第１の連結部材４０は、ガイドリング４１が第１の収納凹部１２に回動可能に収納され、後方アーム５０が第１のケース１０の前記案内溝２９から切り欠き部２７側に突出し、図８に示すように、中間アーム５１が第１のケース１０の周面１０ａ近傍で立ち上げられている。前記ガイドリング４１の係合凸部（係合部）４９は、前記従動部材３０の係合凹部（被係合部）３６と係合可能である。
【００３８】
図８に示すように、第１のケース１０にドラム６０が回動可能に取り付けられている。図９に示すように、ドラム６０は、円筒状に形成され、底壁６１と、底壁６１の周縁に形成された周壁６２とからなる。周壁６２の外表面には、軸方向に伸びる係止溝６３が円周方向に連続して形成されている。底壁６１の外表面の略中心には、前記第１のケース１０の第１の底面１３に形成された軸受け凹部１６に軸受けされる中心軸６５が形成されている。また、底壁６１の外表面には、中心軸６５の略中心を中心とする円形の段凹部６６が形成されている。底壁６１には、略Ｕ字状の切り欠き部６７が形成され、切り欠き部６７の内側に支軸６９が突設されている。底壁６１の内表面の略中心には、略円形の軸受凹部６８が形成されている。
【００３９】
図１０に示すように、ドラム６０は、第１のケース１０の第１の収納凹部１２内に一部が突出して収納される。図１１に示すように、ドラム６０は、中心軸６５が前記第１のケース１０の第１の底面１３に形成された軸受け凹部１６に回動可能に軸受けされ、底壁６１が第１の底面１３に摺接する。円形の段凹部６６には、ガイドリング４１の小径内周縁４６が段凹部６６の外周縁に摺接するようにして、前記ガイドリング４１が回動可能に取り付けられている。支軸６９には、前記従動部材３０の軸受け穴３２が差し込まれ、従動部材３０を回動可能に取り付けている。従動部材３０は、切り欠き部６７の両側縁に当接する範囲で回動でき、一方（扉の閉塞方向（Ｙ方向））の側縁６７ａに当接すると係合凹部（被係合部）３６が外径方向を向き、他方（扉の開放方向（Ｘ方向））の側縁６７ｂに当接すると係合凹部（被係合部）３６が円周方向側に向きを変える。
【００４０】
図１２、１３に示すように、第２のケース８０は、第１のケース１０と同様に、金属、硬質合成樹脂等によって円盤状に一体成形され、上面（第２の接合面）８１側に円形の第２の収納凹部８２が形成されている。第２の収納凹部８２は、円形の第２の底面８３と、第２の底面８３の周縁に略直角に立設された第２の周側面８５とからなる。第２の底面８３は、略中心に円形の嵌合ボス８４が形成されている。嵌合ボス８４の略中心には、円形の軸受け凹部８６が形成されている。さらに第２の底面８３には、軸受け凹部８６の略中心を中心とする環状の嵌合溝８７が形成されている。
【００４１】
図１２、１３に示すように、第２のケース８０は、第２の収納凹部８２の周囲３カ所の上面（第２の接合面）８１側に第２の収容部９０が形成されている。第２の収容部９０は、第２の下面９１と、第２の前面（扉の開放方向（Ｘ方向）の面）９２と、第２の後面（扉の閉塞方向（Ｙ方向）の面）９３と、第２の外側面９４とで段凹部状に形成され、上面（第２の接合面）８１及び第２の周側面８５と連通している。第２の外側面９４は、一端９４ａ（第２の前面９２側）から他端９４ｂ（第２の後面９３側）方向（扉の閉塞方向（Ｙ方向））に向かって、第２の周側面８５から離れるように（深くなるように）、傾斜している。第２の下面９１は、一端９１ａ（第２の前面９２側）から他端９１ｂ（第２の後面９３側）方向（扉の閉塞方向（Ｙ方向））に向かって、上面（第２の接合面）８１から離れるように（深くなるように）、傾斜している。又、第２の下面９１は、第２の周側面８５側から第２の外側面９４側（半径方向）に向かって、上面（第２の接合面）８１から離れるように（深くなるように）傾斜している。
【００４２】
図１３（ｅ）に示すように、第２のケース８０は、下面（表面）９６側に半環状の切り欠き部９７が形成されている。第２の周側面８５には、前記切り欠き部９７と第２の収納凹部８２とを連通する半円状の案内溝９９が形成されている。図１２に示すように、第２のケース８０に第２の連結部材１００が回動可能に取り付けられている。図１４に示すように、第２の連結部材１００は、一体形成されており、ガイドリング１０１と、ガイドリング１０１の一側に一端が連設されたアーム１０２と、アーム１０２の他端に連接され、ガイドリング１０１と略平行の連結リング１０３とからなる。ガイドリング１０１は、第２の収納凹部８２に収納されて、第２の底面８３に摺接し、外周縁１０５が第２の周側面８５に案内され、回動可能となっている。ガイドリング１０１は、先部１０６が切り欠かれており、内周縁１０７が前記第１の連結部材４０のガイドリング４１の大径内周縁４７と略同じ内径で形成されている。
【００４３】
アーム１０２は、ガイドリング１０１と略同一平面状にある後方アーム１１０と、後方アーム１１０に対し略直角に折曲された中間アーム１１１と、中間アーム１１１に対し略直角に折曲され、前記後方アーム１１０と略平行の前方アーム１１２とからなる。連結リング１０３には、連結孔１１３が形成されている。図１５に示すように、第２の連結部材１００は、ガイドリング１０１が第２の収納凹部８２に回動可能に収納され、後方アーム１１０が第２のケース８０の前記案内溝９９から切り欠き部９７側に突出し、中間アーム１１１が第２のケース８０の周面８０ａ近傍で立ち上げられている（図２２参照）。この第２の連結部材１００の連結リング１０３とガイドリング１０１の中心間の距離と、前記第１の連結部材４０の連結リング４３とガイドリング４１の中心間の距離は、略同じである。
【００４４】
図１５に示すように、第２のケース８０の嵌合ボス８４には、リング状の密封シール１１５が被着されている。また、第２のケース８０の嵌合ボス８４の軸受け凹部８６には、ダンパー軸１１６の回転軸１１７が回動自在に取り付けられている。図１６に示すように、ダンパー軸１１６は、回転軸１１７と、回転軸１１７に形成された羽根状の抵抗部材１１８と、回転軸１１７の上端に形成された矩形軸１１９とからなり、回転軸１１７が嵌合ボス８４の軸受け凹部８６に回動自在に取り付けられている。
【００４５】
図１７に示すように、第２のケース８０の第２の底面８３に形成された嵌合溝８７には、ダンパーケース１２０がネジ等により固定して取り付けられている。図１８に示すように、ダンパーケース１２０は、円筒状に形成され、円形の側壁１２１と、側壁１２１の周囲に形成された周壁１２２とからなり、内部に粘性流体を収納する収納部１２９が形成されている。側壁１２１は、略中心に軸受け孔１２３が形成され、側壁１２１の外表面には、軸受け孔１２３を中心として環状の凸壁１２５が設けられている。凸壁１２５の内側には、リング状の密封シール１２８が嵌合されている。
【００４６】
ダンパーケース１２０の開放端周縁には、フランジ１２６が形成されている。ダンパーケース１２０は、フランジ１２６が第２のケース８０の嵌合溝８７に嵌合され、フランジ１２６と第２の底面８３がネジ等により固定されている。図２６に示すように、前記密封シール１１５は、嵌合ボス８４の外周面とダンパーケース１２０の開放端側内周面との間に配設され、嵌合ボス８４の外周面とダンパーケース１２０の開放端側内周面間を密封している。
【００４７】
図１９に示すように、ダンパーケース１２０には、回転体１３０が回動自在に取り付けられている。図２０に示すように、回転体１３０は、円筒状に形成され、円形の側壁１３１と、側壁１３１の周囲に形成された周壁１３２とからなる。側壁１３１の略中心には、円軸状の取付軸１３３が取り付けられている。周壁１３２内側に突出する取付軸１３３の略中心には、矩形穴１３５が形成されている。周壁１３２の側壁１３１側端部には、係止溝１３６が形成されている。回転体１３０の周壁１３２には、コイルバネ（ワンウェイクラッチ）１３８が巻装され、コイルバネ１３８の一端１３９が周壁１３２の係止溝１３６に係止されている。
【００４８】
回転体１３０の取付軸１３３の矩形穴１３５には、ダンパーケース１２０の軸受け孔１２３から突出するダンパー軸１１６の矩形軸１１９が差し込まれ、回転体１３０とダンパー軸１１６が一体で回転するようになっている。図２６に示すように、前記密封シール１２８は、取付軸１３３の外周面とダンパーケース１２０の環状の凸壁１２５内周面間に配設され、取付軸１３３の外周面とダンパーケース１２０の凸壁１２５内周面間を密封している。
【００４９】
図２、２２に示すように、扉の地震時ロック装置（扉の制動装置）１は、第１のケース１０の各第１の収容部２０又は第２のケース８０の各第２の収容部９０にそれぞれ鋼球（ロック部材）５を収容し、第１のケース１０の第１の接合面１１と、第２のケース８０の第２の接合面８１を接合し、第１のケース１０と第２のケース８０をネジ固定することによって、組み立てられている。図２６に示すように、回転体１３０の取付軸１３３は、ドラム６０の軸受凹部６８に回動自在に軸受けされている。前記コイルバネ１３８は、回転体１３０の外周面とドラム６０の内周面間に挿設されている。コイルバネ１３８は、ワンウェイクラッチとして機能し、ドラム６０の扉の開放方向（Ｘ方向）の回転を回転体１３０に伝達することがなく、ドラム６０の扉の閉塞方向（Ｙ方向）の回転を回転体１３０に伝達することができる。
【００５０】
図２３に示すように、前記第１の連結部材４０と第２の連結部材１００には、連結アーム１４０が回動自在に取り付けられている。連結アーム１４０は、緩やかに湾曲しており、長手方向の一方に第１の取付部１４１が形成され、長手方向の他方に第２の取付部１４２が形成されている。第１の取付部１４１には、第１の取付孔１４３が形成され、第２の取付部１４２には、第２の取付孔１４４が形成されている。図２４に示すように、連結アーム１４０の第１の取付部１４１は、前記第１の連結部材４０の連結リング４３と第２の連結部材１００の連結リング１０３の間に挟まれ、連結軸１４５が第２の連結部材１００
の連結孔１１３、第１の取付孔１４３、第１の連結部材４０の連結孔５３に挿通され、連結軸１４５が抜け止めネジ１４６によって固定されることにより、第１の連結部材４０と第２の連結部材１００の先部に回動自在に取り付けられている。
【００５１】
連結アーム１４０の第２の取付部１４２は、扉側取付台１５０に回動自在に取り付けられる。図２４に示すように、扉側取付台１５０は、上側壁１５１と、下側壁１５２を有する。上側壁１５１の軸受け部１５３と下側壁１５２の軸受け部１５４には、支軸１５５が回動自在に取り付けられている。連結アーム１４０の第２の取付部１４２は、上側壁１５１と下側壁１５２間に挿設され、前記支軸１５５が第２の取付孔１４４に挿通されることにより、扉側取付台１５０に回動自在に取り付けられる。
【００５２】
図１，２に示すように、扉の地震時ロック装置（扉の制動装置）１は、第１のケース１０の第１の接合面１１と、第２のケース８０の第２の接合面８１を接合し、第１のケース１０と第２のケース８０をネジ固定することによって、ケース２が組み立てられる。ケース２が組み立てられると、第１のケース１０の各第１の収容部２０と第２のケース８０の各第２の収容部９０が接合して、３つの収容室６，７，８が形成される。各収容室６，７，８は、略１２０度の等間隔でケース２内に配置され、それぞれに鋼球（ロック部材）５が収容されている。図２６に示すように、ダンパーケース１２０の収納部１２９内には、ダンパー軸１１６が回動可能に設けられ、さらに粘性流体が充填され、密封シール１１５，１２８によって粘性流体が流出しないようになっている。
【００５３】
扉の地震時ロック装置（扉の制動装置）１は、上記構成を有し、以下のように使用することができる。図２９に示すように、扉の地震時ロック装置（扉の制動装置）１は、ケース２をネジ等の固定手段によって扉枠Ａに略水平に取り付け、扉側取付台１５０をネジ等の固定手段によって扉Ｂに取り付ける。本実施の形態では、扉Ｂが左側を中心として回動して開閉するので、第１のケース１０が下側に位置するが、扉Ｂが右側を中心として回動して開閉する場合は、第２のケース８０が下側に位置する。収容室６〜８を形成する第１の収容部２０と第２の収容部９０は、上下対称に形成されているので、第１のケース１０と第２のケース８０のどちらが下側になっても、機能的に何等支障が生じない。
【００５４】
図２９，３１（ａ）に示すように、扉の地震時ロック装置（扉の制動装置）１は、扉Ｂが閉塞していると、連結アーム１４０がケース２を内側に抱え込むような形態となっている。第１のケース１０が下側に位置しているので、鋼球（ロック部材）５が第１の収容部２０内を移動する。図３、４に示すように、第１の収容部２０内は、第１の下面２１が、一端２１ａ（第１の前面２２側）から他端２１ｂ（第１の後面２３側）方向（扉の閉塞方向（Ｙ方向））に向かって、上面（第１の接合面）１１から離れるように（深くなるように）傾斜し、第１の外側面２４が一端２４ａ（第１の前面２２側）から他端２４ｂ（第１の後面２３側）方向（扉の閉塞方向（Ｙ方向））に向かって、第１の周側面１５から離れるように（深くなるように）傾斜しているので、鋼球（ロック部材）５が自重により第１の外側面２４の他端２４ｂ（第１の後面２３側）と第１の後面（扉の閉塞方向（Ｙ方向）の面）２３とに当接している。第１の下面２１は、第１の周側面１５側から第１の外側面２４側に向かって下降傾斜しているので、自重により、鋼球（ロック部材）５が第１の外側面２４の他端２４ｂ（第１の後面２３側）に確実に当接する。この鋼球（ロック部材）５の位置Ｐ１が、ドラム６０と当接しない非当接位置、即ちドラム６０をロックしない非ロック位置である。
【００５５】
平常時（非地震時）の扉の地震時ロック装置（扉の制動装置）１の動きについて説明する。図３１に示すように、扉Ｂを閉塞状態から開いていく。図３１（ａ）に示すように、扉Ｂの閉塞状態（閉じている状態）の時、第１の連結部材４０のガイドリング４１に形成された係合凸部（係合部）４９がドラム６０の支軸６９に回動自在に支持された従動部材
３０の係合凹部（被係合部）３６に係合している。鋼球（ロック部材）５は、ドラム６０と当接しない非当接位置、即ちドラム６０をロックしない非ロック位置Ｐ１に位置している。
【００５６】
図３１（ｂ）に示すように、扉Ｂを開放していくと（開いていくと）、扉側取付台１５０、連結アーム１４０、第１，２の連結部材４０，１００を介して、ガイドリング４１がＸ方向（反時計方向）に回動する。ガイドリング４１の回動に伴って、係合凸部（係合部）４９も回転し、係合凸部（係合部）４９に係合している従動部材３０がＸ方向（反時計方向）に移動し、従動部材３０を取り付けているドラム６０もＸ方向（反時計方向）に回動する。
【００５７】
従動部材３０は、前述したとおり、係合凹部（被係合部）３６が外径方向に向いた状態で、案内溝１７に回動不能且つ摺動自在に案内されているので、係合凹部（被係合部）３６から係合凸部（係合部）４９が外れることがなく、確実にドラム６０を回動させることができる。なお、ドラム６０と回転体１３０の間には、ドラム６０の扉の開放方向（Ｘ方向）の回転を回転体１３０に伝達しないコイルバネ（ワンウェイクラッチ）１３８が介装されているので、回転体１３０は、ドラムと連動して回転することがない。そのため、扉Ｂの開放は、制動手段６による制動機能が働かないため、スムーズに行われる。
【００５８】
図３１（ｃ）に示すように、さらに扉Ｂを開放していくと（開いていくと）、扉側取付台１５０、連結アーム１４０、第１，２の連結部材４０，１００、ガイドリング４１、係合凸部（係合部）４９、係合凹部（被係合部）３６を介して従動部材３０がＸ方向（反時計方向）に移動する。従動部材３０は、前記したように、案内溝１７によって案内されており、案内溝１７の下端部（扉の開放方向（Ｘ方向）の端部）１７ａに形成された案内穴１９で移動が阻止される。ドラム６０の扉の開放方向（Ｘ方向）への回動も阻止される。
【００５９】
ガイドリング４１はさらにＸ方向（反時計方向）に回動するので、係合凸部（係合部）４９が係合凹部（被係合部）３６を形成する一対の係合爪３７ａ，３７ｂのＸ方向側の係合爪３７ａを押圧する。従動部材３０の案内突起３５は、案内溝１７から外れて案内穴１９に位置しており、案内穴１９の内周縁に沿って回動可能であり、上記したように、Ｘ方向側の係合爪３７ａが押圧されて、Ｘ方向（反時計方向）に回動し、案内穴１９の係合端１９ａに係合して回転が阻止される。従動部材３０の係合凹部（被係合部）３６は、案内突起３５と同様に、Ｘ方向（反時計方向）に回動し、直径方向から円周方向側に向きを変えて停止する。ガイドリング４１の係合凸部（係合部）４９は、従動部材３０の係合凹部（被係合部）３６が円周方向側に向きを変えるので、係合凹部（被係合部）３６から外れる。
【００６０】
図３１（ｄ）に示すように、さらに扉Ｂを開放していくと（開いていくと）、扉側取付台１５０、連結アーム１４０、第１，２の連結部材４０，１００、ガイドリング４１がＸ方向（反時計方向）に回動するが、従動部材３０の係合凹部（被係合部）３６と係合凸部（係合部）４９が係合していないので、ドラム６０は回動しない。従動部材３０の係合凹部（被係合部）３６の円周方向側への向きは、案内突起３５と案内穴１９の摩擦抵抗により保持されているが、バネ等の弾性部材、グリス等の粘着物等によって保持しても構わない。ドラム６０は、制動手段９によってＹ方向（扉の閉塞方向）に回転し難くなっている。このように、扉Ｂは、閉じている状態から開いていくと、第１，２の連結部材４０，１００を介して、ガイドリング４１がＸ方向（反時計方向）に回動し、ドラム６０もＸ方向（反時計方向）に回動するが、コイルバネ（ワンウェイクラッチ）１３によりドラム６０の回転が回転体１３０に伝達さえないため、制動手段６による制動機能が働かず、又、ドラム６０の回動が案内溝１７の案内穴１９で阻止されるとガイドリング４１がドラム６０から外れるので、スムーズに回動する。
【００６１】
図３２に示すように、扉Ｂを開放状態から閉じていく。図３２（ｅ）に示すように、扉Ｂの開放状態（開いている状態）の時、図３１（ｄ）と同様に、第１の連結部材４０のガイドリング４１に形成された係合凸部（係合部）４９がドラム６０の支軸６９に回動自在に支持された従動部材３０の係合凹部（被係合部）３６から外れている。従動部材３０の係合凹部（被係合部）３６の円周方向側への向きは、案内突起３５と案内穴１９の摩擦抵抗により保持されている。ドラム６０は、制動手段９によってＹ方向（扉の閉塞方向）に回転し難くなっている。
【００６２】
図３２（ｆ）に示すように、扉Ｂを閉塞していくと（閉じていくと）、扉側取付台１５０、連結アーム１４０、第１，２の連結部材４０，１００を介して、ガイドリング４１がＹ方向（反時計方向）に回動する。ガイドリング４１の回動に伴って、係合凸部（係合部）４９は、Ｙ方向（時計方向）に回動し、案内穴１９に位置している従動部材３０の係合凹部（被係合部）３６に係合する。ガイドリング４１はさらにＹ方向（時計方向）に回動するので、係合凸部（係合部）４９が係合凹部（被係合部）３６を形成する一対の係合爪３７ａ，３７ｂのＹ方向側の係合爪３７ｂを押圧する。
【００６３】
図３２（ｇ）に示すように、従動部材３０の案内突起３５は、案内穴１９の内周縁に沿って回動可能であり、上記したように、Ｙ方向側の係合爪３７ｂが押圧されると、Ｙ方向（反時計方向）に回動し、前記案内溝１７に回動不能に案内される。従動部材３０は、案内突起３５が前記案内溝１７に差し込まれると、係合凹部（被係合部）３６が外径方向に向いた状態で、案内溝１７に回動不能且つ摺動可能に案内されるので、係合凹部（被係合部）３６が係合凸部（係合部）４９を係合解除不能に係合する。
【００６４】
図３２（ｈ）に示すように、さらに扉Ｂを閉塞していくと（閉じていくと）、扉側取付台１５０、連結アーム１４０、第１，２の連結部材４０，１００を介して、ガイドリング４１がＹ方向（時計方向）に回動する。ガイドリング４１の回動に伴って、係合凸部（係合部）４９も回転し、係合凸部（係合部）４９に係合している従動部材３０がＹ方向（時計方向）に移動し、従動部材３０を取り付けているドラム６０もＹ方向（時計方向）に回動する。
【００６５】
ドラム６０のＹ方向の回転がコイルバネ（ワンウェイクラッチ）１３８を介して回転体１３０に伝達され、回転体１３０と共にダンパー軸１１６が回転する。回転体１３０は、ダンパー軸１１６が、ダンパーケース１２０の収納部１２９内の粘性流体による抵抗を受けるので、制動される。回転体１３０が制動されるので、ドラム６０の閉塞方向（閉まる方向）への回動速度が遅くなり、扉をゆっくり閉めることができる。なお、扉Ｂは、弾性部材等により、閉じる方向に付勢されていれば、自動でゆっくりと閉塞する。
【００６６】
地震時の扉の地震時ロック装置（扉の制動装置）１の動きについて説明する。図３３に示すように、平常時（非地震時）の扉Ｂの閉塞状態（閉じている状態）の時、第１の連結部材４０のガイドリング４１に形成された係合凸部（係合部）４９がドラム６０の支軸６９に回動自在に支持された従動部材３０の係合凹部（被係合部）３６に係合している。鋼球（ロック部材）５は、ドラム６０と当接しない非当接位置、即ちドラム６０をロックしない非ロック位置Ｐ１に位置している。この非ロック位置は、鋼球（ロック部材）５を収容している第１の収容部２０の第１の下面２１が、一端２１ａ（第１の前面２２側）から他端２１ｂ（第１の後面２３側）方向（扉の閉塞方向（Ｙ方向））に向かって、深くなるように傾斜しているので、自重により鋼球（ロック部材）５が第１の後面（扉の閉塞方向（Ｙ方向）の面）２３と第１の外側面２４の他端２４ｂに当接している位置である。
【００６７】
図３４に示すように、地震により揺れが生じると、３カ所の収容室６〜８に収容されて
いる鋼球（ロック部材）５の少なくとも一つがドラム６０と当接する当接位置、即ちドラム６０をロックするロック位置Ｐ２に移動する。即ち、地震により鋼球（ロック部材）５が、自重に反して傾斜を上るようにして、第１の下面２１の一端２１ａ（第１の前面２２側）方向（扉の開放方向（Ｘ方向））に向かって移動すると、第１の外側面２４が他端２４ｂ（第１の後面２３側）から一端２４ａ（第１の前面２２側）方向（扉の開放方向（Ｘ方向））に向かって、第１の外側面２４が浅くなるように傾斜しているので、第１の外側面２４によってドラム６０側に押し出されて移動し、ドラム６０の係止溝６３に係止される。鋼球（ロック部材）５が第１の外側面２４とドラム６０間に挟まれてドラム６０を回動不能にロックする位置がロック位置Ｐ２である。
【００６８】
扉Ｂが地震による揺れにより開こうとすると、扉側取付台１５０、連結アーム１４０、第１，２の連結部材４０，１００、ガイドリング４１、係合凸部（係合部）４９、従動部材３０の係合凹部（被係合部）３６を介してドラム６０がＸ方向（反時計方向）に回動しようとするが、鋼球（ロック部材）５がロック位置Ｐ２にあり、鋼球（ロック部材）５が楔となってドラム６０のＸ方向（扉の開放方向）への回動を阻止する。そのため、扉Ｂは地震時に開放されない。地震が終了すると、鋼球（ロック部材）５は、自重により非ロック位置Ｐ１に移動し、扉Ｂの開放を行うことができる。
【００６９】
図３１（ｂ）のように、扉Ｂが若干開いている場合、ガイドリング４１の係合凸部（係合部）４９と従動部材３０の係合凹部（被係合部）３６が係合して連結部材４０とドラム６０が連動している状態の時であっても、地震による揺れにより開こうとすると、扉側取付台１５０、連結アーム１４０、第１，２の連結部材４０，１００、ガイドリング４１、係合凸部（係合部）４９、従動部材３０の係合凹部（被係合部）３６を介してドラム６０がＸ方向（反時計方向）に回動しようとするが、鋼球（ロック部材）５がロック位置Ｐ２にあり、鋼球（ロック部材）５が楔となってドラム６０のＸ方向（扉の開放方向）への回動を阻止する。しかし、扉Ｂが若干開いている状態で、扉Ｂを閉じる方向に回動する場合、ドラム６０が連動してＹ方向（時計方向）に回動すると、鋼球（ロック部材）５が非ロック位置Ｐ１側に移動させられるため、鋼球（ロック部材）５が楔とならず、ドラム６０のＹ方向（扉の閉塞方向）への回動を阻止しない。
【００７０】
上記したように、ドラム６０は、外表面に係止溝６３が形成されている。仮に、ドラム６０の外表面に係止溝６３が形成されていないと、外表面と鋼球（ロック部材）５が点接触して、滑りが生じる可能性がある。ドラム６０は、外表面に係止溝６３が形成されているので、係止溝６３と鋼球（ロック部材）５が面接触して、鋼球（ロック部材）５が回転し難くなり、楔効果を高めている。
【００７１】
本実施の形態では、ケース２内に３個の鋼球（ロック部材）５を配置し、様々な地震の揺れに対応できるようにしているが、１個の鋼球（ロック部材）５だけでも対応できるのは勿論である。また、第１の収容部２０は、Ｙ方向（時計方向）に向かって深くなるように形成したが、Ｘ方向（時計方向）に向かって深くなるように形成しても構わない。また、両方を組み合わせても構わない。
【００７２】
本実施の形態では、前述したように、扉の地震時ロック装置（扉の制動装置）１は、ガイドリング４１の係合凸部（係合部）４９と従動部材３０の係合凹部（被係合部）３６が係合して連結部材４０とドラム６０が連動している状態の時に、機能が発揮できるようになっており、ガイドリング４１の係合凸部（係合部）４９が従動部材３０の係合凹部（被係合部）３６から外れて、連結部材４０とドラム６０が連動していない場合、地震時にドラム６０がロックされても連結部材４０は回動可能であるから、扉Ｂを開閉することができる。前述したとおり、扉Ｂの閉じる方向（Ｙ方向）には扉Ｂを回動することができるので、地震時に扉Ｂを閉めることが可能であり、扉Ｂを閉めた時にも地震が続いている場合
には、扉の地震時ロック装置（扉の制動装置）１が機能するので、扉Ｂが開くことがない。本実施の形態では、扉Ｂが略１５°開いた時に、ガイドリング４１の係合凸部（係合部）４９が従動部材３０の係合凹部（被係合部）３６から外れて、連結部材４０とドラム６０が連動しなくなるように設定しているが、これに限定されないのは勿論である。
【００７３】
扉の地震時ロック装置（扉の制動装置）１は、平常時には、ロック部材５がドラム６０をロックしない非ロック位置Ｐ１に移動しているので、扉Ｂの開閉に連動してドラム６０が回動でき、扉Ｂの開閉が何ら支障なく滑らかに行われるが、地震時には、ロック部材５がドラム６０をロックするロック位置Ｐ１に移動するので、扉Ｂを開閉不能にロックして扉Ｂの揺動を阻止することができる。従って、扉の地震時ロック装置（扉の制動装置）１によれば、地震時に扉Ｂがロックされ、突然扉Ｂが開閉して手や足を挟んで怪我をしたり、頭を打ったりするおそれを少なくし、扉Ｂの揺動による衝撃により、ヒンジ等の部品を壊す可能性を少なくしている。また、扉の地震時ロック装置（扉の制動装置）１を、家具等の収納装置に取り付ければ、地震の揺れにより扉Ｂが開いて収納装置内の収納物（皿、コップ等）が落下するの防止することができる。
【００７４】
扉の地震時ロック装置（扉の制動装置）１は、地震時にロック部材５がドラム６０をロックするロック位置Ｐ２に移動するが、地震が終了すれば、ロック部材５が自重により非ロック位置Ｐ１に移動するので、ドラム６０のロックが解除され、特別な解除操作を行わなくても平常時と同じ状態に復帰させることができる。
【００７５】
扉の地震時ロック装置（扉の制動装置）１は、ロック部材５がケース２に形成された複数の収容室６〜８に移動可能に収容されているので、地震の様々な揺れに対していずれかのロック部材５が反応して確実にドラムをロックすることができる。扉の地震時ロック装置（扉の制動装置）１は、ロック部材５が球体であるので、コストが安く、組み立て作業が容易であり、地震の揺れに対して速やかに反応させることができる。
【００７６】
扉の地震時ロック装置（扉の制動装置）１は、ケース２に、前記ドラム６０の回動を制動する制動手段９が設けられているので、扉Ｂをゆっくり且つ静かに閉めることができ、扉Ｂの扉枠Ａへの衝突による跳ね返りを防止することができ、扉枠Ａへ扉Ｂの当接による不快な衝撃音と衝撃力を緩和することができる他、扉枠Ａへ扉Ｂの当接により発生する衝撃力によりドラム６０がロックされるのを防止することができる。また、扉の地震時ロック装置（扉の制動装置）１を、家具等の収納装置に取り付ければ、扉枠Ａへ扉Ｂの当接により発生する衝撃力を緩和し、衝撃により発生する、収納物（皿、コップ等）同士の干渉音や、収納物（皿、コップ等）の転倒による破損等を防止することができる。
【００７７】
扉の地震時ロック装置（扉の制動装置）１は、収納部１２９内に充填された粘性流体と、回転軸１１７に形成された、粘性流体の抵抗を受ける抵抗部材１１８とでドラム６０を制動するので、その減衰作用により、滑らかに扉を閉じさせることができ、ワンウエイクラッチ１３８により扉Ｂの開く方向へのドラム６０の回動方向には、制動手段９が働かないから、扉Ｂを素早く開けることができる。また、制動手段９が、ケース２内に設けられた収納部１２９と、収納部１２９内に充填された粘性流体と、収納部１２９内に突出して回動可能に設けられた回転軸１１７と、回転軸１１７に形成された、粘性流体の抵抗を受ける抵抗部材１１８と、回転軸１１７と共に回転する回転体１３０とからなるので、小型化することでき、安価に製造することができる。
【００７８】
扉の地震時ロック装置（扉の制動装置）１は、前記ドラム６０に回動可能に取り付けられた連結部材４０が、扉Ｂの開閉に伴って回動し、扉Ｂが所定位置まで閉じると連結部材４０の係合部４９が従動部材３０の被係合部３６と係合してドラム６０を回動させ、扉Ｂが所定位置まで開くと連結部材４０の係合部４９が従動部材３０の被係合部３６から外れ
てドラム６０を回動させないようにするので、扉Ｂの閉じ終わる間際に制動力を働かせることができる。また、扉の地震時ロック装置（扉の制動装置）１は、連結部材４０が、扉Ｂの開閉に伴って回動し、扉Ｂが所定位置まで閉じると連結部材４０の係合部４９が従動部材３０の被係合部３６と係合してドラム６０を回動させるが、ドラム６０の回動が制動手段９の粘性流体による制動が働くため、係合部４９が被係合部３６に係合する際に発生する音は、かなり小さく、静粛性が極めて高い。このように、従来の扉枠に取り付けられるダンパー（制動装置）は、扉が当接すると、その衝撃音が大きいが、扉の地震時ロック装置（扉の制動装置）１は、従来のものに比べ、静粛性が格段に向上している。このように、扉の地震時ロック装置（扉の制動装置）１は、地震時に扉をロックするロック手段と扉の回動を制動する制動手段を併有し、コンパクト且つ安価に製造することができ、取付作業が簡単である。
【図面の簡単な説明】
【００７９】
【図１】本願発明に係る扉の地震時ロック装置（扉の制動装置）の一つの実施の形態を示す全体斜視図である。
【図２】扉の地震時ロック装置（扉の制動装置）の分解斜視図である。
【図３】第１のケースを説明する斜視図である。
【図４】第１のケースを説明する説明図である。
【図５】従動部材の説明図である。
【図６】第１のケースと第１の連結部材を説明する斜視図である。
【図７】第１の連結部材の説明図である。
【図８】第１のケースとドラムを説明する斜視図である。
【図９】ドラムの説明図である。
【図１０】第１のケースにドラムを装着した斜視図である。
【図１１】図１０の第１のケースの説明図である。
【図１２】第２のケースと第２の連結部材を説明する斜視図である。
【図１３】第２のケースを説明する説明図である。
【図１４】第２の連結部材の説明図である。
【図１５】第２のケースとダンパー軸を説明する斜視図である。
【図１６】ダンパー軸の説明図である。
【図１７】第２のケースとダンパーケースを説明する斜視図である。
【図１８】ダンパーケースの説明図である。
【図１９】第２のケースと回転体を説明する斜視図である。
【図２０】回転体の説明図である。
【図２１】第２のケースに回転体を装着した斜視図である。
【図２２】第１のケースと第２のケースの取付方を説明する斜視図である。
【図２３】ケースと連結アームの分解斜視図である。
【図２４】第１、２の連結部材に連結アームを連結した斜視図である。
【図２５】本願発明に係る扉の地震時ロック装置（扉の制動装置）の説明図である。
【図２６】本願発明に係る扉の地震時ロック装置（扉の制動装置）の図２５のＡ−Ａ断面図である。
【図２７】図２５のＢ−Ｂ断面図である。
【図２８】図２５のＣ−Ｃ断面図である。
【図２９】本願発明に係る扉の地震時ロック装置（扉の制動装置）の使用説明図である。
【図３０】本願発明に係る扉の地震時ロック装置（扉の制動装置）の使用説明図である。
【図３１】本願発明に係る扉の地震時ロック装置（扉の制動装置）の開き動作を説明する説明図である。
【図３２】本願発明に係る扉の地震時ロック装置（扉の制動装置）の閉じ動作を説明する説明図である。
【図３３】本願発明に係る扉の地震時ロック装置（扉の制動装置）の地震時の動き説明する説明図である。
【図３４】要部拡大断面図である。
【符号の説明】
【００８０】
Ａ  扉枠
Ｂ  扉
Ｐ１  非ロック位置
Ｐ２  ロック位置
１  扉の地震時ロック装置（扉の制動装置）
２  ケース
５  鋼球（ロック部材）
６  収容室
７  収容室
８  収容室
９  制動手段
１０  第１のケース
１０ａ  周面
１１  上面（第１の接合面）
１２  第１の収納凹部
１３  第１の底面
１５  第１の周側面
１６  軸受け凹部
１７  案内溝
１７ａ  下端部（反時計方向の端部）
１９  案内穴
１９ａ  係合端
２０  第１の収容部
２１  第１の下面
２１ａ  一端
２１ｂ  他端
２２  第１の前面
２３  第１の後面
２４  第１の外側面
２４ａ  一端
２４ｂ  他端
２６  下面（表面）
２７  切り欠き部
２９  案内溝
３０  従動部材
３１  一方の面
３２  軸受け穴
３３  他方の面
３５  案内突起
３６  係合凹部（被係合部）
３７  係合爪
４０  第１の連結部材
４１  ガイドリング（基部）
４２  アーム
４３  連結リング（先部）
４５  外周縁
４６  小径内周縁
４７  大径内周縁
４９  係合凸部（係合部）
５０  後方アーム
５１  中間アーム
５２  前方アーム
５３  連結孔
６０  ドラム
６１  底壁
６２  周壁
６３  係止溝
６５  中心軸
６６  段凹部
６７  切り欠き部
６７ａ  一方の側縁
６７ｂ  他方の側縁
６８  軸受凹部
６９  支軸
８０  第２のケース
８０ａ  周面
８１  上面（第２の接合面）
８２  第２の収納凹部
８３  第２の底面
８４  嵌合ボス
８５  第２の周側面
８６  軸受け凹部
８７  嵌合溝
９０  第２の収容部
９１  第２の下面
９１ａ  一端
９１ｂ  他端
９２  第２の前面
９３  第２の後面
９４  第２の外側面
９４ａ  一端
９４ｂ  他端
９６  下面（表面）
９７  切り欠き部
９９  案内溝
１００  第２の連結部材
１０１  ガイドリング
１０２  アーム
１０３  連結リング
１０５  外周縁
１０６  先部
１０７  内周縁
１１０  後方アーム
１１１  中間アーム
１１２  前方アーム
１１３  連結孔
１１５  密封シール
１１６  ダンパー軸
１１７  回転軸
１１８  抵抗部材
１１９  矩形軸
１２０  ダンパーケース
１２１  側壁
１２２  周壁
１２３  軸受け孔
１２５  凸壁
１２６  フランジ
１２８  密封シール
１２９  収納部
１３０  回転体
１３１  側壁
１３２  周壁
１３３  取付軸
１３５  矩形穴
１３６  係止溝
１３８  コイルバネ（ワンウェイクラッチ）
１３９  一端
１４０  連結アーム
１４１  第１の取付部
１４２  第２の取付部
１４３  第１の取付孔
１４４  第２の取付孔
１４５  連結軸
１４６  抜け止めネジ
１５０  扉側取付台
１５１  上側壁
１５２  下側壁
１５３  軸受け部
１５４  軸受け部
１５５  支軸
【図１】
2005344440.tif 000003
【図２】
2005344440.tif 000004
【図３】
2005344440.tif 000005
【図４】
2005344440.tif 000006
【図５】
2005344440.tif 000007
【図６】
2005344440.tif 000008
【図７】
2005344440.tif 000009
【図８】
2005344440.tif 000010
【図９】
2005344440.tif 000011
【図１０】
2005344440.tif 000012
【図１１】
2005344440.tif 000013
【図１２】
2005344440.tif 000014
【図１３】
2005344440.tif 000015
【図１４】
2005344440.tif 000016
【図１５】
2005344440.tif 000017
【図１６】
2005344440.tif 000018
【図１７】
2005344440.tif 000019
【図１８】
2005344440.tif 000020
【図１９】
2005344440.tif 000021
【図２０】
2005344440.tif 000022
【図２１】
2005344440.tif 000023
【図２２】
2005344440.tif 000024
【図２３】
2005344440.tif 000025
【図２４】
2005344440.tif 000026
【図２５】
2005344440.tif 000027
【図２６】
2005344440.tif 000028
【図２７】
2005344440.tif 000029
【図２８】
2005344440.tif 000030
【図２９】
2005344440.tif 000031
【図３０】
2005344440.tif 000032
【図３１】
2005344440.tif 000033
【図３２】
2005344440.tif 000034
【図３３】
2005344440.tif 000035
【図３４】
2005344440.tif 000036